Podtech/llm-jp-corpus-v4-ja_patent huggingface dataset:
【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
第１の基材と第２の基材とが、シリコーン材料で構成される接合膜を介して接合された接合体において、
前記シリコーン材料は、その末端部では下記一般式（１）で表わされる構造単位を有し、連結部では下記一般式（２）で表わされる構造単位を有し、また、分枝部では下記一般式（３）で表わされる構造単位を備えるポリオルガノシロキサン骨格を有する化合物で構成され、
前記接合膜に剥離用エネルギーを付与して、前記シリコーン材料を構成する分子結合の一部を切断することにより、前記接合膜内にへき開を生じさせて、前記第１の基材から前記第２の基材を剥離することを特徴とする接合体の剥離方法。
【化１】
2010051964.tif 000001
［式中、各Ｒは、それぞれ独立してメチル基、エチル基、プロピル基、シクロペンチル基、シクロヘキシル基、フェニル基を表し、各Ｚは、それぞれ独立して、水酸基またはメトキシ基、エトキシ基、プロポキシ基、ブトキシ基を表し、Ｘはシロキサン残基を表し、ａは０または１〜３の整数を表し、ｂは０または１〜２の整数を表し、ｃは０または１を表す。］
【請求項２】
前記一般式（１）、前記一般式（２）および前記一般式（３）中において、各Ｚは、水酸基を表わす請求項１に記載の接合体の剥離方法。
【請求項３】
前記接合体は、前記第１の基材および前記第２の基材の少なくとも一方に、前記シリコーン材料を含有する液状材料を供給することにより、液状被膜を形成する工程と、
前記液状被膜を乾燥して、前記第１の基材および前記第２の基材の少なくとも一方に接合膜を得る工程と、
前記接合膜に接合用エネルギーを付与することにより、前記接合膜の表面付近に接着性を発現させ、当該接合膜を介して前記第１の基材と前記第２の基材とを接合する工程とを経ることにより得られたものである請求項１または２に記載の接合体の剥離方法。
【請求項４】
前記接合用エネルギーの付与は、前記接合膜にエネルギー線を照射する方法、前記接合膜を加熱する方法、および前記接合膜に圧縮力を付与する方法のうちの少なくとも１つの方法により行われる請求項１ないし３のいずれかに記載の接合体の剥離方法。
【請求項５】
前記剥離用エネルギーの大きさは、前記接合用エネルギーの大きさよりも大きい請求項４に記載の接合体の剥離方法。
【請求項６】
前記剥離用エネルギーの付与は、前記接合膜にエネルギー線を照射する方法、前記接合膜を加熱する方法、および前記接合膜に圧縮力を付与する方法のうちの少なくとも１つの方法により行われる請求項１ないし５のいずれかに記載の接合体の剥離方法。
【請求項７】
前記エネルギー線は、波長１２６〜３００ｎｍの紫外線である請求項６に記載の接合体の剥離方法。
【請求項８】
前記剥離用エネルギーの付与は、大気雰囲気中で行われる請求項６または７に記載の接合体の剥離方法。
【請求項９】
前記接合膜の平均厚さは、１０〜１００００ｎｍである請求項１ないし８のいずれかに記載の接合体の剥離方法。
【請求項１０】
前記第１の基材および前記第２の基材の少なくとも前記接合膜と接触する部分は、シリコン材料、金属材料またはガラス材料を主材料として構成されている請求項１ないし９のいずれかに記載の接合体の剥離方法。
【請求項１１】
前記第１の基材および前記第２の基材の前記接合膜と接触する面には、あらかじめ、前記接合膜との密着性を高める表面処理が施されている請求項１ないし１０のいずれかに記載の接合体の剥離方法。
【請求項１２】
前記表面処理は、プラズマ処理または紫外線照射処理である請求項１１に記載の接合体の剥離方法。
【手続補正２】
【補正対象書類名】明細書
【補正対象項目名】０００６
【補正方法】変更
【補正の内容】
【０００６】
このような目的は、下記の本発明により達成される。
本発明の接合体の剥離方法は、第１の基材と第２の基材とが、シリコーン材料で構成される接合膜を介して接合された接合体において、
前記シリコーン材料は、その末端部では下記一般式（１）で表わされる構造単位を有し、連結部では下記一般式（２）で表わされる構造単位を有し、また、分枝部では下記一般式（３）で表わされる構造単位を備えるポリオルガノシロキサン骨格を有する化合物で構成され、
前記接合膜に剥離用エネルギーを付与して、前記シリコーン材料を構成する分子結合の一部を切断することにより、前記接合膜内にへき開を生じさせて、前記第１の基材から前記第２の基材を剥離することを特徴とする。
【化１】
2010051964.tif 000002
［式中、各Ｒは、それぞれ独立してメチル基、エチル基、プロピル基、シクロペンチル基、シクロヘキシル基、フェニル基を表し、各Ｚは、それぞれ独立して、水酸基またはメトキシ基、エトキシ基、プロポキシ基、ブトキシ基を表し、Ｘはシロキサン残基を表し、ａは０または１〜３の整数を表し、ｂは０または１〜２の整数を表し、ｃは０または１を表す。］
これにより、前記接合体において、第１の基材から第２の基材を容易に、かつ効率よく剥離することができる。
本発明の接合体の剥離方法では、前記一般式（１）、前記一般式（２）および前記一般式（３）中において、各Ｚは、水酸基を表わすことが好ましい。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】変更
【補正の内容】
【００１１】
本発明の接合体の剥離方法では、前記剥離用エネルギーの大きさは、前記接合用エネルギーの大きさよりも大きいことが好ましい。
これにより、接合用エネルギーを付与した際には、接合膜の表面付近に接着性を発現させ、剥離用エネルギーを付与した際には、接合膜にへき開を生じさせることができる。
【手続補正６】
【補正対象書類名】明細書
【補正対象項目名】００１２
【補正方法】変更
【補正の内容】
【００１２】
本発明の接合体の剥離方法では、前記剥離用エネルギーの付与は、前記接合膜にエネルギー線を照射する方法、前記接合膜を加熱する方法、および前記接合膜に圧縮力を付与する方法のうちの少なくとも１つの方法により行われることが好ましい。
これにより、第１の基材および第２の基材に変質・劣化が生じるのを防止しつつ、接合膜にへき開を確実に生じさせることができる。
【手続補正７】
【補正対象書類名】明細書
【補正対象項目名】００１３
【補正方法】変更
【補正の内容】
【００１３】
本発明の接合体の剥離方法では、前記エネルギー線は、波長１２６〜３００ｎｍの紫外線であることが好ましい。
これにより、第１の基材および第２の基材に変質・劣化が生じるのを防止しつつ、接合膜にへき開を確実に生じさせることができる。
【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
ノズルを備えた塗布ヘッドと、
前記ノズルから溶液を液滴として吐出させる駆動手段と、
撮像手段を備え、当該撮像手段が撮像した前記ノズルから吐出された飛翔中の液滴の画像に基づいて前記ノズルから吐出された前記液滴の量を測定する測定装置と、を有し、前記ノズルから前記液滴を吐出させて基板に塗布する溶液の塗布装置において、
前記撮像手段の撮像光学系中に、前記液滴の吐出方向に沿う縦方向の倍率よりも該縦方向に直交する横方向の倍率を大きくする変倍レンズを備えることを特徴とする溶液の塗布装置。
【請求項２】
前記測定装置は、前記撮像手段が撮像した液滴の画像に基づいて該液滴の面積を求める検査手段を備えてなり、
前記検査手段が求めた前記液滴の面積に基づいて前記駆動手段を制御し、前記ノズルからの吐出量を制御する制御手段をさらに有することを特徴とする請求項１に記載の溶液の塗布装置。
【請求項３】
前記変倍レンズは、横方向の倍率を縦方向の倍率の２〜５倍とすることを特徴とする請求項１又は２に記載の溶液の塗布装置。
【請求項４】
塗布ヘッドのノズルから溶液を液滴として吐出させて基板上に塗布する溶液の塗布方法において、
前記ノズルから吐出された飛翔中の前記液滴を撮像手段により撮像する撮像工程と、
前記撮像手段が撮像した前記液滴の画像に基づいて前記ノズルから吐出された前記液滴の量を測定する測定工程と、を有し、
前記撮像工程においては、前記液滴の吐出方向に沿う縦方向の倍率よりも該縦方向に直交する横方向の倍率が大きくなるように撮像することを特徴とする溶液の塗布方法。
【請求項５】
前記測定工程においては、前記撮像手段が撮像した液滴の画像に基づいて該液滴の面積を前記液滴の量として求め、
前記測定工程にて求めた前記液滴の面積に基づいて前記ノズルからの吐出量を制御する制御工程をさらに有することを特徴とする請求項４に記載の溶液の塗布方法。
【請求項６】
前記撮像工程においては、横方向の倍率を縦方向の倍率の２〜５倍にして撮像することを特徴とする請求項４又は５に記載の溶液の塗布方法。
【手続補正２】
【補正対象書類名】明細書
【補正対象項目名】００１２
【補正方法】変更
【補正の内容】
【００１２】
本発明の課題は、ノズルから吐出された液滴の量を高精度で求めることにある。
【手続補正３】
【補正対象書類名】明細書
【補正対象項目名】００１３
【補正方法】変更
【補正の内容】
【００１３】
請求項１の発明は、ノズルを備えた塗布ヘッドと、
前記ノズルから溶液を液滴として吐出させる駆動手段と、
撮像手段を備え、当該撮像手段が撮像した前記ノズルから吐出された飛翔中の液滴の画像に基づいて前記ノズルから吐出された前記液滴の量を測定する測定装置と、を有し、前記ノズルから前記液滴を吐出させて基板に塗布する溶液の塗布装置において、
前記撮像手段の撮像光学系中に、前記液滴の吐出方向に沿う縦方向の倍率よりも該縦方向に直交する横方向の倍率を大きくする変倍レンズを備えるようにしたものである。
【手続補正４】
【補正対象書類名】明細書
【補正対象項目名】００１４
【補正方法】変更
【補正の内容】
【００１４】
請求項２の発明は、請求項１の発明において更に、前記測定装置は、前記撮像手段が撮像した液滴の画像に基づいて該液滴の面積を求める検査手段を備えてなり、
前記検査手段が求めた前記液滴の面積に基づいて前記駆動手段を制御し、前記ノズルからの吐出量を制御する制御手段をさらに有するようにしたものである。
【手続補正５】
【補正対象書類名】明細書
【補正対象項目名】００１５
【補正方法】変更
【補正の内容】
【００１５】
請求項３の発明は、請求項１又は２の発明において更に、前記変倍レンズは、横方向の倍率を縦方向の倍率の２〜５倍とするようにしたものである。
【手続補正６】
【補正対象書類名】明細書
【補正対象項目名】００１６
【補正方法】変更
【補正の内容】
【００１６】
請求項４の発明は、塗布ヘッドのノズルから溶液を液滴として吐出させて基板上に塗布する溶液の塗布方法において、
前記ノズルから吐出された飛翔中の前記液滴を撮像手段により撮像する撮像工程と、
前記撮像手段が撮像した前記液滴の画像に基づいて前記ノズルから吐出された前記液滴の量を測定する測定工程と、を有し、
前記撮像工程においては、前記液滴の吐出方向に沿う縦方向の倍率よりも該縦方向に直交する横方向の倍率が大きくなるように撮像するようにしたものである。
【手続補正７】
【補正対象書類名】明細書
【補正対象項目名】００１７
【補正方法】変更
【補正の内容】
【００１７】
請求項５の発明は、請求項４の発明において更に、前記測定工程においては、前記撮像手段が撮像した液滴の画像に基づいて該液滴の面積を前記液滴の量として求め、
前記測定工程にて求めた前記液滴の面積に基づいて前記ノズルからの吐出量を制御する制御工程をさらに有するようにした
ものである。
【手続補正８】
【補正対象書類名】明細書
【補正対象項目名】００１８
【補正方法】変更
【補正の内容】
【００１８】
請求項６の発明は、請求項４又は５の発明において更に、前記撮像工程においては、横方向の倍率を縦方向の倍率の２〜５倍にして撮像するようにしたものである。
【手続補正９】
【補正対象書類名】明細書
【補正対象項目名】００１９
【補正方法】変更
【補正の内容】
【００１９】
本発明によれば、ノズルから吐出された液滴の量を高精度で求めることができる。
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００４６
【補正方法】変更
【補正の内容】
【００４６】
尚、高速度カメラ４７によって溶液の液滴を撮像する場合、ノズル３４から吐出される溶液の液滴がそのノズル３４から出きった時点で撮像するよう、その撮像タイミングをタイミング設定装置５３によって設定すれば、溶液の長さＬの全長を撮像することができる。
【手続補正書】
【提出日】平成23年8月25日(2011.8.25)
【手続補正１】
【補正対象書類名】特許請求の範囲
【補正対象項目名】請求項２
【補正方法】変更
【補正の内容】
【請求項２】
前記車体加速度演算手段は、前記車体加速度ａｘ′を式（Ａ）に基づいて算出することを特徴とする請求項１に記載のスリップ率推定装置。
【数１】
2010051160.tif 000001
（Ｍ：車両重量）
【手続補正２】
【補正対象書類名】明細書
【補正対象項目名】００１３
【補正方法】変更
【補正の内容】
【００１３】
請求項２に記載の発明は、請求項１に記載のスリップ率推定装置において、前記車体加速度演算手段は、前記車体加速度ａｘ′を式（Ａ）に基づいて算出することを特徴とする。
【手続補正３】
【補正対象書類名】明細書
【補正対象項目名】００１５
【補正方法】変更
【補正の内容】
【００１５】
（Ｍ：車両重量）
【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
微生物から脂質を得るプロセスであって、
（ａ）微生物の細胞を溶解して、溶解した細胞混合物を生成する工程と、
（ｂ）５％未満の無極性溶媒を含む培地で実施された抽出プロセスを用いて前記溶解した細胞混合物を処理して、水溶液を含む重い層と前記脂質を含む軽い層を含む相分離混合物を生成する工程と、
（ｃ）前記軽い層から前記重い層を分離する工程と、
（ｄ）前記軽い層から前記脂質を得る工程とを含む、前記プロセス。
【請求項２】
前記（ｂ）は前記溶解した細胞混合物を遠心することを含む、請求項１に記載のプロセス。
【請求項３】
前記軽い層は乳化された脂質を含む、請求項１または２に記載のプロセス。
【請求項４】
（ｅ）前記（ｃ）の前記軽い層に水性抽出溶液を加える工程と、
（ｆ）前記脂質が前記（ｄ）に先立って実質的に乳化されていないようになるまで、前記（ｂ）（ｃ）、および（ｅ）を繰り返す工程とをさらに含む、請求項３に記載のプロセス。
【請求項５】
前記乳化された脂質は、水溶液中の前記脂質の懸濁液を含む、請求項３に記載のプロセス。
【請求項６】
発酵培地に塩基を加えることをさらに含む、請求項１〜５のいずれか一項に記載のプロセス。
【請求項７】
前記塩基は水酸化物、炭酸塩、重炭酸塩、およびそれらの混合物から成る群より選択される、請求項６に記載のプロセス。
【請求項８】
発酵培地中のタンパク質化合物の少なくとも一部を可溶化することをさらに含む、請求項１〜７のいずれか一項に記載のプロセス。
【請求項９】
前記（ａ）は、前記微生物を少なくとも５０℃の温度に加熱することを含む、請求項１〜８のいずれか一項に記載のプロセス。
【請求項１０】
前記微生物は１２ｇ／Ｌ未満の塩化ナトリウムの塩分レベルで生育できる、請求項１〜９のいずれか一項に記載のプロセス。
【請求項１１】
前記微生物は少なくとも３０重量％の脂質を含む、請求項１〜１０のいずれか一項に記載のプロセス。
【請求項１２】
前記微生物は藻類、真菌類、細菌類および原生生物から成る群より選択される、請求項１〜１１のいずれか一項に記載のプロセス。
【請求項１３】
前記微生物はヤブレツボカビ（Thraustochytriales）目の微生物を含む、請求項１〜１２のいずれか一項に記載のプロセス。
【請求項１４】
前記微生物は、ヤブレツボカビ（Thraustochytrium）属、シゾチトリウム（Schizochytrium）属およびそれらの混合物から選択される、請求項１〜１３のいずれか一項に記載のプロセス。
【請求項１５】
前記微生物は、ＡＴＣＣ番号２０８８８、ＡＴＣＣ番号２０８８９、ＡＴＣＣ番号２０８９０、ＡＴＣＣ番号２０８９１およびＡＴＣＣ番号２０８９２の識別特性を有する微生物、および上述の任意のものに由来する突然変異株から成る群から選択される、請求項１〜１４のいずれか一項に記載のプロセス。
【請求項１６】
前記微生物は、ドコサヘキサエン酸を少なくとも０．１ｇ／Ｌ／ｈ生産することができる、請求項１〜１６のいずれか一項に記載のプロセス。
【請求項１７】
前記脂質の少なくとも３０％は、ドコサヘキサエン酸である、請求項１６に記載のプロセス。
【請求項１８】
前記（ｂ）が、４％未満の無極性有機溶媒の中で実施される、請求項１〜１７のいずれか一項に記載のプロセス。
【請求項１９】
前記（ｂ）が、２％未満の無極性有機溶媒の中で実施される、請求項１〜１７のいずれか一項に記載のプロセス。
【請求項２０】
前記（ｂ）が、１％未満の無極性有機溶媒の中で実施される、請求項１〜１７のいずれか一項に記載のプロセス。
【請求項２１】
無極性有機溶媒がヘキサンである、請求項１８〜２０のいずれか一項に記載のプロセス。
【請求項２２】
前記（ｂ）が、無極性有機溶媒がない状態で実施される、請求項１〜１７のいずれか一項に記載のプロセス。
【手続補正書】
【提出日】平成23年8月8日(2011.8.8)
【手続補正１】
【補正対象書類名】明細書
【補正対象項目名】００２２
【補正方法】変更
【補正の内容】
【００２２】
図５は、包接化合物の粒子２１と第２高吸水性ポリマー粒子２２との作用と効果とを確認するために使用した評価用処理シート５１の断面図である。評価用処理シート５１の大きさは１０ｃｍ×１０ｃｍであり、芯材１６には坪量１２０ｇ／ｍ２の粉砕パルプを使用した。香気発散層２０のうちの包接化合物の粒子２１には香料としてアイ・エヌ・エフ日本株式会社のフローラルフルーツ系香料ＴＦ２３１０２を使用し、シクロデキストリンとしてβ―シクロデキストリンを使用した。βーシクロデキストリンとこの香料との包接化合物（略称をＣＤとする）は、次の手順によって調製した。
１）水６０部にβーシクロデキストリン３６部と香料４部とを加え、３０分間攪拌してから５℃で２４時間静置する。
２）その後１分間攪拌し、出口温度９５℃のスプレードライヤで処理し、粒径が約５ミクロンを有する包接化合物（ＣＤ）の粉体を得る。
【手続補正２】
【補正対象書類名】明細書
【補正対象項目名】００２８
【補正方法】変更
【補正の内容】
【００２８】
香気発散強度の測定手順は、次のとおりである。
１）測定環境を２５℃、Ｒ．Ｈ．５０％に設定する。
２）底面の一辺が１２〜１５ｃｍの四角形のふた付き容器を用意し、そのふたに直径４ｍｍの孔をあけておく。
３）臭気測定器ＣＯＳＭＯＳ  ＸＰ−３２９（新コスモス電機株式会社製）の数値を平衡させ、初期値を２００に調整する。
４）容器に試験用処理シート５１を入れて、人工尿としての生理用食塩水を３０ｃｃ満遍なく滴下したのち放置する。
５）測定時間の１分前にふたを閉じ、容器内の臭気を平衡させ、測定時間になったときにふたの孔に測定用ノズルを挿入して３０秒間臭気を測定する。
６）測定のピーク値を求め、そのピーク値から初期値の２００を引いた値を香気発散強度とする。
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
培養物を培養するための培養室と、前記培養室内に培養物を載せる棚板と、前記棚板を保持する棚受けと、前記棚受けを保持する複数の棚支柱とを備え、前記培養室内に殺菌ガスを循環させて培養室内を殺菌する培養装置において、
前記棚受けは、前記培養室の各側面から離間する方向に延在し、前記棚板の下面の両側端が載置される一対の載置片を有し、
前記一対の載置片は、前記棚板の下面の両側端に対し、前記棚板が前記棚受けに保持される際に線接触する
ことを特徴とする培養装置。
【請求項２】
前記一対の載置片は、前記棚板の下面の両側端に対し、前記培養室の各側面から離間する側の先端で線接触する
ことを特徴とする請求項１に記載の培養装置。
【請求項３】
前記一対の載置片は、前記培養室の各側面から離間するほど斜め上方向に延在する
ことを特徴とする請求項２に記載の培養装置。
【請求項４】
前記棚受けは、前記培養室の各側面に沿う水平方向に延在し、前記一対の載置片と結合されると共に前記複数の棚支柱に係止される一対の垂直板を有し、
前記複数の棚支柱は、長手方向と直交する幅方向の略中央が前記培養室の側面から最も離間するように形成された曲板を有し、前記一対の垂直板が係止される際に前記一対の垂直板が前記略中央に線接触する
ことを特徴とする請求項１乃至３の何れかに記載の培養装置。
【請求項５】
前記曲板は、前記略中央が前記培養室の側面から離間する方向に折れ曲がる
ことを特徴とする請求項４に記載の培養装置。
【手続補正２】
【補正対象書類名】明細書
【補正対象項目名】０００５
【補正方法】変更
【補正の内容】
【０００５】
本発明は、培養物を培養するための培養室と、培養室内に培養物を載せる棚板と、棚板を保持する棚受けと、棚受けを保持する複数の棚支柱とを備え、培養室内に殺菌ガスを循環させて培養室内を殺菌する培養装置であって、棚受けは、培養室の各側面から離間する方向に延在し、棚板の下面の両側端が載置される一対の載置片を有し、この一対の載置片は、棚板の下面の両側端に対し、棚板が棚受けに保持される際に線接触することを特徴とする。
【手続補正３】
【補正対象書類名】明細書
【補正対象項目名】００１１
【補正方法】変更
【補正の内容】
【００１１】
棚板４３は、培養物を載置するための例えばステンレス製の板部材である。  
棚受け４２は、棚板４３を水平（ＸＹ面と平行）に保持するための例えばステンレス製の部材であり、培養室４ｂの一方の側面側（＋Ｘ側）にその長手方向を水平方向（Ｙ軸方向）にして配設される。この棚受け４２と、培養室４ｂの他方の側面側（−Ｘ側）に対をなして配設される棚受け４２’（後述する図８参照）とは、培養室４ｂ内の対向する側面間の中央で当該側面に平行な平面（不図示）を境として、互いに鏡面対称な形状を有している。以後、棚受け４２’の説明については、後述する図８を参照する説明以外は、棚受け４２の説明と同様であるとして省略する。
【手続補正４】
【補正対象書類名】明細書
【補正対象項目名】００２４
【補正方法】変更
【補正の内容】
【００２４】
垂直板４２１は、長手方向の両端部がその中央部に比べて上下方向（Ｚ軸方向）に幅広な板状の部材である。  
載置片４２２は、垂直板４２１の下端（−Ｚ側端）に連接しつつ培養室４ｂの側面から離間する方向（即ち、棚板４３に近づく方向）（−Ｘ方向）に折れ曲がって、この垂直板４２１に対し角度θ’をなして延在する板状の部材である。図４に示す折り曲げ角度θ’は、例えば８０度である。
【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
軸回りの回転により畦の法面を整形する法面整畦部と、その軸方向先端部に連結されて法面整畦部と共に回転し、畦の上面を整形する上面整畦部とを有する整畦体を装着した畦塗り機において、
前記上面整畦部は多角柱状の筒状部材と、この筒状部材の側面に重なり、前記筒状部材の周方向に間隔を置いて接続される複数枚の弾性を有する羽根板を備え、前記複数枚の羽根板は全体として前記筒状部材の表面を覆う状態にあることを特徴とする畦塗り機の整畦体。
【請求項２】
前記羽根板は前記筒状部材のいずれかの側面に重なって接続される接続部と、この接続部に連続し、前記上面整畦部の回転方向下流側に隣接する側面側へ張り出す張出部からなり、この張出部は前記上面整畦部の回転方向下流側に位置する羽根板の接続部を覆う状態にあることを特徴とする請求項１に記載の畦塗り機の整畦体。
【請求項３】
前記羽根板の張出部はその周方向に、その羽根板が接続されている前記側面から前記下流側の側面を超える長さを有していることを特徴とする請求項２に記載の畦塗り機の整畦体。
【請求項４】
前記羽根板の張出部の周方向先端部は前記筒状部材側へ湾曲、もしくは屈曲していることを特徴とする請求項２、もしくは請求項３に記載の畦塗り機の整畦体。
【請求項５】
前記羽根板の前記法面整畦部側の端部に、前記上面整畦部の回転方向上流側から下流側へかけて前記上面整畦部側から前記法面整畦部側へ接近する形状をした移行部が形成されていることを特徴とする請求項１乃至請求項４のいずれかに記載の畦塗り機の整畦体。
【請求項６】
前記羽根板は前記筒状部材に対して着脱自在に接続されていることを特徴とする請求項１乃至請求項５のいずれかに記載の畦塗り機の整畦体。
【請求項７】
前記羽根板と前記筒状部材のいずれか一方に係合部が突設され、他方にこの係合部が係合可能な被係合部が形成され、前記羽根板は前記係合部と前記被係合部が互いに係合した状態で前記筒状部材の側面に接続されていることを特徴とする請求項６に記載の畦塗り機の整畦体。
【手続補正２】
【補正対象書類名】明細書
【補正対象項目名】００５６
【補正方法】変更
【補正の内容】
【００５６】
補剛板３１ｂは本体部３１ａに内接した状態で、または本体部３１ａの端面に接触した状態で、溶接やボルト接合等の手段により本体部３１ａに接合される。プレートからなる本体部３１ａの端面部分は剛性を確保する上では盲板が望ましいが、軽量化を図る目的で端面部分の一部に開口が形成されることもある。
【手続補正３】
【補正対象書類名】明細書
【補正対象項目名】００５７
【補正方法】変更
【補正の内容】
【００５７】
補剛板３１ｂには上面整畦部３を法面整畦部２の連結部２２に連結するためのボルト７が挿通する挿通孔３１ｃが形成される。補剛板３１ｂにはまた、接合部材４を用いて羽根板３２を本体部３１ａに当接させ、その状態で接合部材４を貫通するボルト５により補剛板３１ｂに接合するためのねじ孔３１ｄが形成されている。図１では挿通孔３１ｃを断面上の中心に関して円弧状の長孔に形成することで、ボルト７の、連結部２２のねじ孔２２ａへの位置調整を行えるようにしている。
【手続補正４】
【補正対象書類名】明細書
【補正対象項目名】００６７
【補正方法】変更
【補正の内容】
【００６７】
接合部材４の当接部４１が羽根板３２を筒状部材３１の側面に押さえ付けた状態で、接合部４２が筒状部材３１の補剛板３１ｂに接合されることで、羽根板３２が筒状部材３１に一体化し、上面整畦部３が形成される。筒状部材３１に羽根板３２が一体化した上面整畦部３は図３−（ａ）に示すように前記した法面整畦部２の連結部２２に直接、連結される芯材６にボルト７により接合されることにより法面整畦部２と一体化する。
【手続補正５】
【補正対象書類名】明細書
【補正対象項目名】００６８
【補正方法】変更
【補正の内容】
【００６８】
芯材６は円筒形の本体６１の内周側に軸方向に間隔を置いて配置された、剛性を確保するための複数枚の、挿通孔を有するフランジ６２が接合されて形成される。土質条件によってはこの芯材６を上面整畦部３として使用することも可能である。上面整畦部３は筒状部材３１の端面に接合されている補剛板３１ｂと芯材６のフランジ６２を貫通し、法面整畦部２の連結部２２に形成されているねじ孔２２ａに到達するボルト７がねじ孔２２ａに螺入することにより芯材６に接合される。図３−（ｃ）は図３−（ａ）に示す上面整畦部３の補剛板３１ｂ側の端面を示す。図４−（ａ）〜（ｄ）は法面整畦部２に上面整畦部３が一体化した整畦体１の外観を示している。図４−（ａ）、（ｂ）の矢印は整畦体１の回転の向きを示す。
【手続補正６】
【補正対象書類名】図面
【補正対象項目名】図３
【補正方法】変更
【補正の内容】
【図３】
2010051281.tif 000001
【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
所定の表示部にて回転表示される複数の図柄を遊技者による停止操作によって停止表示させる停止操作ゲームが行われるとともに、該停止操作ゲームにて前記複数の図柄が停止表示されたときの図柄組み合わせに基づいて遊技の進行にかかる制御が行われる遊技機であって、
前記複数の図柄が停止表示されたときの図柄組み合わせには、複数回の停止操作ゲームにわたって遊技者に有利な遊技制御が行われる目標ゲームの実行契機となる特別図柄組み合わせが含まれており、
所定の条件が満たされたとき、前記遊技者による停止操作によって停止表示可能とされている特別図柄組み合わせを示唆することによって前記目標ゲームの実行が促される高期待遊技状態に制御する有利状態制御手段を備え、
前記有利状態制御手段は、
前記停止表示可能とされている特別図柄組み合わせが示唆されたもとで前記停止操作ゲームが行われたにもかかわらず前記特別図柄組み合わせが停止表示されなかったとき、当該停止操作ゲームが行われてからの所定の期間、前記特別図柄組み合わせが遊技者による停止操作の対象外とされて停止表示され得ないもとで前記停止操作ゲームが繰り返し行われるペナルティ状態に制御するペナルティ状態制御手段
を有することを特徴とする遊技機
【請求項２】
請求項１に記載の遊技機において、
所定の表示面にて演出表示を行う演出表示制御手段
をさらに備えることを特徴とする遊技機。
【請求項３】
前記演出表示制御手段は、キャラクタ画像による演出表示を行う
請求項２に記載の遊技機。
【手続補正２】
【補正対象書類名】明細書
【補正対象項目名】０００８
【補正方法】変更
【補正の内容】
【０００８】
こうした目的を達成するため、請求項１に記載の発明では、所定の表示部にて回転表示される複数の図柄を遊技者による停止操作によって停止表示させる停止操作ゲームが行われるとともに、該停止操作ゲームにて前記複数の図柄が停止表示されたときの図柄組み合わせに基づいて遊技の進行にかかる制御が行われる遊技機であって、前記複数の図柄が停止表示されたときの図柄組み合わせには、複数回の停止操作ゲームにわたって遊技者に有利な遊技制御が行われる目標ゲームの実行契機となる特別図柄組み合わせが含まれており、所定の条件が満たされたとき、前記遊技者による停止操作によって停止表示可能とされている特別図柄組み合わせを示唆することによって前記目標ゲームの実行が促される高期待遊技状態に制御する有利状態制御手段を備え、前記停止表示可能とされている特別図柄組み合わせが示唆されたもとで前記停止操作ゲームが行われたにもかかわらず前記特別図柄組み合わせが停止表示されなかったとき、当該停止操作ゲームが行われてからの所定の期間、前記特別図柄組み合わせが遊技者による停止操作の対象外とされて停止表示され得ないもとで前記停止操作ゲームが繰り返し行われるペナルティ状態に制御するペナルティ状態制御手段を有することを要旨とする。
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
図柄が付された複数の回転表示体と、
複数のフラグのうち一または二以上のフラグについての当選成立にかかる抽選を行う抽選手段と、
少なくとも当選成立状態にあるフラグに基づくすべり情報が設定された複数のすべりテーブルを記憶するテーブル記憶手段と、
前記当選成立状態にあるフラグに対応する図柄組み合わせが示現されるように、前記複数のすべりテーブルのうちいずれかに基づいて前記回転表示体の停止制御を行う停止制御手段と、
停止表示された前記複数の回転表示体を跨る図柄の組み合わせに基づいて、１ゲームの結果としての賞を付与する賞付与手段と、
前記特別フラグに対応する特別図柄の組み合わせが示現されたことに基づき、前記賞が付与されうるゲームが複数ゲームにわたって行われる大賞期間を生起させる大賞期間生起手段と、
ゲームの進行に伴って遊技媒体が漸減する漸減ゲーム状態でありながらも、常には前記特別フラグを当選成立状態とすることで前記大賞期間が常に生起しうるなかで遊技を進行させる常勝惹起手段と、を備え、
前記抽選手段は、前記漸減ゲーム状態にて前記大賞期間の生起が頻出することを回避すべく、常に示現されうる小役図柄の組み合わせに対応する小役フラグがさらに当選成立状態となりうる抽選を行うとともに、
前記常勝惹起手段は、
前記小役フラグが当選成立状態であるにもかかわらず、前記小役図柄の組み合わせの示現が回避されるタイミングで前記外部操作が行われた場合に限り前記特別図柄の組み合わせが示現されることによって、前記大賞期間が生起しうる大賞期間生起可能ゲームと、
前記大賞期間が生起しないよう常に前記小役図柄の組み合わせが示現される大賞期間非生起ゲームと、を実行可能に構成されており、
前記停止制御手段は、
回転表示状態にある全ての前記回転表示体のうち一の回転表示体が停止制御されるに際しては、前記大賞期間生起可能ゲームであるか前記大賞期間非生起ゲームであるかにかかわらず前記特別図柄の組み合わせが示現される期待感を与えるべく、前記すべりテーブルの一つである前記小役図柄および前記特別図柄の両方が示現されうる両示現テーブルに基づいて、当該一の回転表示体の停止制御を行い、
前記一の回転表示体に次いで他の回転表示体が停止制御されるに際しては、前記大賞期間生起可能ゲームである場合に限り前記特別図柄の組み合わせが示現されるさらなる期待感を与えるべく、前記すべりテーブルの一つである前記特別図柄が示現されうる特別図柄示現テーブルに基づいて、当該他の回転表示体の停止制御を行う
ことによって、１ゲーム内で段階的に期待感を増幅させうる期待感増幅手段を有する
ことを特徴とする遊技機。
【請求項２】
前記ゲームを開始させるスタート操作手段をさらに備え、
前記抽選手段は、前記スタート操作手段が操作されたことに基づいて所定の乱数を取得し、該取得された乱数を用いて前記一または二以上のフラグについての当選成立にかかる抽選を行う
請求項１に記載の遊技機。
【請求項３】
所定の演出画像が表示される演出表示手段をさらに備える
請求項１又は２に記載の遊技機。
【手続補正２】
【補正対象書類名】明細書
【補正対象項目名】０００９
【補正方法】変更
【補正の内容】
【０００９】
上記課題を解決するための請求項１に係る遊技機は、図柄が付された複数の回転表示体と、複数のフラグのうち一または二以上のフラグについての当選成立にかかる抽選を行う抽選手段と、前記複数の回転表示体に対応して設けられ、回転表示状態にある当該複数の回転表示体のそれぞれを、外部操作によって個々に停止させうる停止操作手段と、少なくとも当選成立状態にあるフラグに基づくすべり情報が設定された複数のすべりテーブルを記憶するテーブル記憶手段と、前記当選成立状態にあるフラグに対応する図柄組み合わせが示現されるように、前記複数のすべりテーブルのうちいずれかに基づいて前記回転表示体の停止制御を行う停止制御手段と、停止表示された前記複数の回転表示体を跨る図柄の組み合わせに基づいて、１ゲームの結果としての賞を付与する賞付与手段と、前記特別フラグに対応する特別図柄の組み合わせが示現されたことに基づき、前記賞が付与されうるゲームが複数ゲームにわたって行われる大賞期間を生起させる大賞期間生起手段と、ゲームの進行に伴って遊技媒体が漸減する漸減ゲーム状態でありながらも、常には前記特別フラグを当選成立状態とすることで前記大賞期間が常に生起しうるなかで遊技を進行させる常勝惹起手段と、を備え、前記抽選手段は、前記漸減ゲーム状態にて前記大賞期間の生起が頻出することを回避すべく、常に示現されうる小役図柄の組み合わせに対応する小役フラグがさらに当選成立状態となりうる抽選を行うとともに、前記常勝惹起手段は、前記小役フラグが当選成立状態であるにもかかわらず、前記小役図柄の組み合わせの示現が回避されるタイミングで前記外部操作が行われた場合に限り前記特別図柄の組み合わせが示現されることによって、前記大賞期間が生起しうる大賞期間生起可能ゲームと、前記大賞期間が生起しないよう常に前記小役図柄の組み合わせが示現される大賞期間非生起ゲームと、を実行可能に構成されており、前記停止制御手段は、回転表示状態にある全ての前記回転表示体のうち一の回転表示体が停止制御されるに際しては、前記大賞期間生起可能ゲームであるか前記大賞期間非生起ゲームであるかにかかわらず前記特別図柄の組み合わせが示現される期待感を与えるべく、前記すべりテーブルの一つである前記小役図柄および前記特別図柄の両方が示現されうる両示現テーブルに基づいて、当該一の回転表示体の停止制御を行い、前記一の回転表示体に次いで他の回転表示体が停止制御されるに際しては、前記大賞期間生起可能ゲームである場合に限り前記特別図柄の組み合わせが示現されるさらなる期待感を与えるべく、前記すべりテーブルの一つである前記特別図柄が示現されうる特別図柄示現テーブルに基づいて、当該他の回転表示体の停止制御を行うことによって、１ゲーム内で段階的に期待感を増幅させうる期待感増幅手段を有することを特徴とする。
請求項２に係る発明は、請求項１に記載の遊技機において、前記ゲームを開始させるスタート操作手段をさらに備え、前記抽選手段は、前記スタート操作手段が操作されたことに基づいて所定の乱数を取得し、該取得された乱数を用いて前記一または二以上のフラグについての当選成立にかかる抽選を行うことを特徴とする。
請求項３に係る発明は、請求項２に記載の遊技機において、所定の演出画像が表示される演出表示手段をさらに備えることを特徴とする。
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
便器上に載置され洗浄機構を内蔵した本体部と、
加熱部を内蔵し前記本体部に回動可能に支持された便座と、を備え、
前記便座は、
楕円形状で環状の着座面と、
前記着座面の後方に連続して設けられ、湾曲部を有して斜め上方に延びた背部と、を有し、
前記背部が着座した使用者の臀部の後方への移動を規制することにより、前記使用者の臀部が前記本体部へ接触することを抑制する衛生洗浄装置。
【請求項２】
前記背部の上縁の幅は前記着座面の外周の幅と実質的に同寸法である請求項１に記載の衛生洗浄装置。
【請求項３】
前記本体部の表面に設け、前記便座への着座状態を検知するための非接触式の着座センサをさらに備え、
前記背部は前記使用者の臀部および腰部が前記着座センサへ接触することを抑制する請求項１または２に記載の衛生洗浄装置。
【請求項４】
前記本体部は、前記使用者が着座状態において前記使用者の臀部または腰部と対向する前面湾曲部を有し、前記前面湾曲部に窓孔を設け、
前記着座センサは、
前記本体部と実質的に同一表面になるように前記窓孔に嵌着したフィルターと、
前記フィルターの内側に赤外線を投光する発光部と、
前記使用者に遮光されて反射した赤外線を受光する受光部と、を有する請求項３に記載の衛生洗浄装置。
【請求項５】
前記着座面は、内周部が外周部より低い傾斜を有し、前記便座の後方中央の前記着座面の内周部と前記背部の上縁との高低差を、前記着座面の側方の内周部と外周部との高低差の３倍以上とした請求項１から４のいずれか一項に記載の衛生洗浄装置。
【請求項６】
前記着座面を上方に凸の曲面で形成し、前記背部を凹の曲面で形成した請求項１から５の
いずれか一項に記載の衛生洗浄装置。
【請求項７】
前記背部の上縁を基点とする仰角が４５度以下の範囲にのみ前記本体部を配置した請求項１から６のいずれか一項に記載の衛生洗浄装置。
【請求項８】
人体を検知する人体検知センサと、
前記人体検知センサの検知信号により、前記加熱部の昇温駆動を開始する制御部と、をさらに備えた請求項１から７のいずれか一項に記載の衛生洗浄装置。
【請求項９】
前記加熱部は、前記着座面と前記背部とを加熱可能に構成した請求項１から８のいずれか一項に記載の衛生洗浄装置。
【請求項１０】
前記便座は前記便器上に載置される下部便座ケーシングと、前記下部便座ケーシングに組み合わせられ、前記下部便座ケーシングより熱伝導率の大きい材料で構成された上部便座ケーシングとを有し、
前記上部便座ケーシングは前記着座面および前記背部から前記下部便座ケーシングに向かって立設したリブを有し、前記背部における前記リブの高さは、前記着座面における前記リブの高さよりも低い請求項９に記載の衛生洗浄装置。
【請求項１１】
前記着座面における前記リブの高さは５ｍｍ以上、４０ｍｍ以下である請求項１０に記載の衛生洗浄装置。
【請求項１２】
前記便座が前記便器上に載置された状態にて、前記上部便座ケーシングは前記下部便座ケーシングから水平方向において突出している請求項１０または１１に記載の衛生洗浄装置。
【手続補正２】
【補正対象書類名】明細書
【補正対象項目名】００２１
【補正方法】削除
【補正の内容】
【手続補正書】
【提出日】平成23年9月30日(2011.9.30)
【手続補正１】
【補正対象書類名】明細書
【補正対象項目名】００６５
【補正方法】変更
【補正の内容】
【００６５】
図８は、１つの手段に従った貫流ディスペンサーの外観図である。図９は、１つの手段
に従って、例示の貫流ディスペンサーのＡ−Ａ線に沿った断面図である。
【手続補正２】
【補正対象書類名】明細書
【補正対象項目名】００６７
【補正方法】変更
【補正の内容】
【００６７】
【図１】１つの手段に従って、螺旋作動を用いる例示の貫流ディスペンサーの分解図である。
【図２】図１の手段に従って、螺旋作動を用いる例示の貫流ディスペンサーの他の分解図である。
【図３ａ】他の例示の手段に従って、螺旋作動を用いる貫流ディスペンサー用のディスペンサーキャップの上面図であり、Ａ−Ａ線を示す。
【図３ｂ】図３ａの手段に従って、螺旋作動を用いる貫流ディスペンサーの外観の斜視図である。
【図４】１つの手段に従って、螺旋作動を用いる例示の貫流ディスペンサーの断面図である。
【図５ａ】１つの手段に従って例示した貫流ガスケットの底面図である。
【図５ｂ】１つの手段に従って例示した貫流ガスケットの上面図である。
【図５ｃ】１つの手段に従って例示した貫流ガスケットの配景図である。
【図６】他の例示の手段に従って、螺旋作動を用いる貫流ディスペンサーを有する例示のディスペンサーの分解図である。
【図７】さらに他の例示の手段に従って、螺旋作動を用いる貫流ディスペンサーを有する例示のディスペンサーの分解図である。
【図８】例示の手段に従って、螺旋作動を用いる貫流ディスペンサーの外観図であり、Ａ−Ａ線を示す。
【図９】他の例示の手段に従って、螺旋作動を用いる貫流ディスペンサーの断面図である。
【手続補正書】
【提出日】平成23年7月28日(2011.7.28)
【手続補正１】
【補正対象書類名】特許請求の範囲
【補正対象項目名】全文
【補正方法】変更
【補正の内容】
【特許請求の範囲】
【請求項１】
図柄が付された複数の回転表示体と、複数のフラグのうち一または二以上のフラグについての当選成立にかかる抽選を行う抽選手段とを備え、当選成立状態にあるフラグに基づいて停止表示された前記複数の回転表示体を跨る図柄組み合わせに基づいて、１ゲームの結果としての賞が付与されうる遊技機であって、
前記当選成立状態にあるフラグに基づいて、当該当選成立状態にあるフラグに対応する図柄組み合わせが示現されるように前記回転表示体の停止制御を行う停止制御手段と、
前記図柄組み合わせが特別フラグに対応する特別図柄の組み合わせとなるように停止制御されたときは、前記賞が付与されうるゲームが複数ゲームにわたって行われる大賞期間を生起させる大賞期間生起手段と、
ゲームの進行に伴って遊技媒体が漸減する漸減ゲーム状態でありながらも、常には前記特別フラグを当選成立状態とすることで前記大賞期間が常に生起しうるなかで遊技を進行させる常勝惹起手段と、を備え、
前記抽選手段は、
前記漸減ゲーム状態にて前記大賞期間の生起が頻出することを回避すべく、常に示現されうる小役図柄の組み合わせに対応する小役フラグがさらに当選成立状態となりうる抽選を行い、
前記停止制御手段は、
前記小役フラグと前記特別フラグとが当選成立状態にあるときに、前記小役図柄の組み合わせの示現が回避された場合に前記特別図柄の組み合わせが示現されるように前記回転表示体の停止制御を行う特別図柄示現制御手段と、
前記小役図柄の組み合わせの示現が回避されることで前記大賞期間の生起が可能とされる大賞期間生起可能ゲームにおいて、回転表示状態にある全ての前記回転表示体のうち一の回転表示体が停止されたときに前記小役図柄および前記特別図柄の両方が示現された場合に限り、前記特別図柄の組み合わせが示現されるように前記回転表示体の停止制御を行う最初回転停止制御手段と、
前記大賞期間が生起しないよう常に前記小役図柄の組み合わせが示現される大賞期間非生起ゲームでは、回転表示状態にある全ての前記回転表示体のうち一の回転表示体が停止されるに際して前記小役図柄および前記特別図柄の両方を示現可能であったとしても、これらのうち前記小役図柄のみを示現した上で、全ての前記回転表示体が停止したときに前記小役図柄組み合わせを示現させる小役入賞制御手段と、
特定の条件が成立した場合に限り、前記大賞期間非生起ゲームであるにもかかわらず、回転表示状態にある全ての前記回転表示体のうち一の回転表示体が停止されるに際して前記小役図柄および前記特別図柄の両方が示現されるように制御する常勝惹起促進手段と、を備える
ことを特徴とする遊技機。
【請求項２】
前記ゲームを開始させるスタート操作手段をさらに備え、
前記抽選手段は、前記スタート操作手段が操作されたことに基づいて所定の乱数を取得し、該取得された乱数を用いて前記一または二以上のフラグについての当選成立にかかる抽選を行う
請求項１に記載の遊技機。
【請求項３】
所定の演出画像が表示される演出表示手段をさらに備える
請求項１又は２に記載の遊技機。
【手続補正２】
【補正対象書類名】明細書
【補正対象項目名】０００９
【補正方法】変更
【補正の内容】
【０００９】
上記課題を解決するための請求項１に係る遊技機は、図柄が付された複数の回転表示体と、複数のフラグのうち一または二以上のフラグについての当選成立にかかる抽選を行う抽選手段とを備え、当選成立状態にあるフラグに基づいて停止表示された前記複数の回転表示体を跨る図柄組み合わせに基づいて、１ゲームの結果としての賞が付与されうる遊技機であって、前記当選成立状態にあるフラグに基づいて、当該当選成立状態にあるフラグに対応する図柄組み合わせが示現されるように前記回転表示体の停止制御を行う停止制御手段と、前記図柄組み合わせが特別フラグに対応する特別図柄の組み合わせとなるように停止制御されたときは、前記賞が付与されうるゲームが複数ゲームにわたって行われる大賞期間を生起させる大賞期間生起手段と、ゲームの進行に伴って遊技媒体が漸減する漸減ゲーム状態でありながらも、常には前記特別フラグを当選成立状態とすることで前記大賞期間が常に生起しうるなかで遊技を進行させる常勝惹起手段と、を備え、前記抽選手段は、前記漸減ゲーム状態にて前記大賞期間の生起が頻出することを回避すべく、常に示現されうる小役図柄の組み合わせに対応する小役フラグがさらに当選成立状態となりうる抽選を行い、前記停止制御手段は、前記小役フラグと前記特別フラグとが当選成立状態にあるときに、前記小役図柄の組み合わせの示現が回避された場合に前記特別図柄の組み合わせが示現されるように前記回転表示体の停止制御を行う特別図柄示現制御手段と、前記小役図柄の組み合わせの示現が回避されることで前記大賞期間の生起が可能とされる大賞期間生起可能ゲームにおいて、回転表示状態にある全ての前記回転表示体のうち一の回転表示体が停止されたときに前記小役図柄および前記特別図柄の両方が示現された場合に限り、前記特別図柄の組み合わせが示現されるように前記回転表示体の停止制御を行う最初回転停止制御手段と、前記大賞期間が生起しないよう常に前記小役図柄の組み合わせが示現される大賞期間非生起ゲームでは、回転表示状態にある全ての前記回転表示体のうち一の回転表示体が停止されるに際して前記小役図柄および前記特別図柄の両方を示現可能であったとしても、これらのうち前記小役図柄のみを示現した上で、全ての前記回転表示体が停止したときに前記小役図柄組み合わせを示現させる小役入賞制御手段と、特定の条件が成立した場合に限り、前記大賞期間非生起ゲームであるにもかかわらず、回転表示状態にある全ての前記回転表示体のうち一の回転表示体が停止されるに際して前記小役図柄および前記特別図柄の両方が示現されるように制御する常勝惹起促進手段と、を備えることを特徴とする。
請求項２に係る発明は、請求項１に記載の遊技機において、前記ゲームを開始させるスタート操作手段をさらに備え、前記抽選手段は、前記スタート操作手段が操作されたことに基づいて所定の乱数を取得し、該取得された乱数を用いて前記一または二以上のフラグについての当選成立にかかる抽選を行うことを特徴とする。
請求項３に係る発明は、請求項２に記載の遊技機において、所定の演出画像が表示される演出表示手段をさらに備えることを特徴とする。
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示する変動表示部を備え、該変動表示部に導出表示された識別情報の表示結果が予め定められた特定表示結果となったときに、遊技者にとって有利な特定遊技状態に制御する遊技機であって、
前記特定遊技状態に制御するか否かを、前記識別情報の表示結果が導出表示される以前に決定する事前決定手段と、
該事前決定手段による決定に基づいて、前記識別情報の変動表示を実行する変動表示実行手段と、
前記事前決定手段による決定に基づいて、前記特定遊技状態に制御される可能性があることを報知する複数の予告演出のうちから実行する予告演出を決定する予告演出決定手段と、
該予告演出決定手段により決定された予告演出を実行する予告演出実行手段とを備え、
前記複数種類の予告演出には、前記特定遊技状態に制御される場合および前記特定遊技状態に制御されない場合ともに実行可能であり前記特定遊技状態に制御されることを所定の割合で予告する通常予告演出と、前記特定遊技状態に制御される場合のみに実行可能であり前記特定遊技状態に制御されることが確定したことを報知する確定報知予告演出とが含まれ、
前記予告演出決定手段は、
前記通常予告演出の態様に基づいて分類された複数種類の通常予告演出種別のうちいずれの通常予告演出種別に属する通常予告演出を実行するかを決定する通常予告種別決定手段と、
該通常予告種別決定手段により決定された通常予告演出種別に属する通常予告演出のうちから前記実行する通常予告演出を決定する通常予告決定手段と、
前記確定報知予告演出を実行するか否かを決定する確定予告演出決定手段と、を含んでなり、
前記予告演出実行手段は、前記通常予告演出と前記確定報知予告演出とを同じ変動表示中に実行可能であることを特徴とする、遊技機。
【請求項２】
前記変動表示部とは別個に設けられ、所定の報知をするための複数種類の報知手段をさらに備え、
前記予告演出実行手段は、前記複数種類の報知手段のうちの少なくとも１つの報知手段を用いて、前記確定報知予告演出を実行することを特徴とする、請求項１に記載の遊技機。
【請求項３】
前記複数種類の通常予告演出には、第１の通常予告演出と該第１の通常予告演出と同じ変動表示中に実行しない第２の通常予告演出とが含まれ、
前記通常予告種別決定手段は、通常予告演出種別を決定するときに、第１の通常予告演出が属する通常予告演出種別と、前記第２の通常予告が属する通常予告演出種別とを排他的に選択決定することを特徴とする、請求項１または２に記載の遊技機。
【請求項４】
前記第１の通常予告演出と前記第２の通常予告演出とは、前記変動表示部において予告演出に用いられる表示領域の少なくとも一部、および、予告演出の実行タイミングの少なくとも一部が重複する予告演出であることを特徴とする、請求項３に記載の遊技機。
【請求項５】
前記予告演出実行手段は、複数のタイミングから選択したタイミングになったときに前記確定報知予告演出を実行することを特徴とする、請求項１から４のいずれかに記載の遊技機。
【請求項６】
遊技媒体が流下可能な遊技領域へ遊技媒体を打込むことにより遊技が行なわれ、遊技媒体が始動領域を通過したことに基づいて前記変動表示部にて変動表示が実行されるものであり、
前記遊技媒体が前記始動領域を通過したときに、前記特定遊技状態に制御するか否かを特定するための情報を所定の上限数の範囲内で保留記憶情報として記憶する保留記憶手段をさらに備え、
前記変動表示実行手段は、前記特定遊技状態に制御されておらず、かつ、前記変動表示部において前記識別情報の変動表示が実行されていないときに前記保留記憶手段に記憶された保留記憶情報に基づいて前記変動表示部の変動表示を実行し、
前記予告演出実行手段は、前記特定遊技状態に制御する旨を示す保留記憶情報が前記保留記憶手段に記憶されているときに、当該保留記憶情報に基づく変動表示より以前に表示結果を導出表示する変動表示において、前記確定報知予告演出を実行可能であることを特徴とする、請求項１から５のいずれかに記載の遊技機。
【請求項７】
前記予告演出実行手段は、前記確定予告演出決定手段により確定報知予告演出を実行することが決定されたときに、当該決定に応じて１回だけ前記確定報知予告演出を実行することを特徴とする、請求項６に記載の遊技機。
【請求項８】
前記確定予告演出決定手段により前記確定報知予告演出を実行することが決定されたときに、前記予告演出実行手段により前記確定報知予告演出が実行された後に、特定の演出を実行する特定演出実行手段をさらに備えたことを特徴とする、請求項１から７のいずれかに記載の遊技機。
【請求項９】
遊技者が操作可能な操作手段をさらに備え、
前記特定演出実行手段は、前記操作手段に対する操作がされたことを条件として前記特定の演出を実行することを特徴とする、請求項８に記載の遊技機。
【手続補正２】
【補正対象書類名】明細書
【補正対象項目名】００２３
【補正方法】変更
【補正の内容】
【００２３】
（８）  前記確定予告演出決定手段により前記確定報知予告演出を実行することが決定されたときに、前記予告演出実行手段により前記確定報知予告演出が実行された後に、特定の演出（一発告知後特定演出）を実行する（図４５）特定演出実行手段（演出制御用マイクロコンピュータ１００、図８４のＳ８４９１〜Ｓ８４９６）をさらに備えた。